(57)【特許請求の範囲】
【請求項１】
セグメント型素線を撚合わせたセグメント型素線撚合わせ層を少なくとも１層備えてなる架空送電線において、少なくとも一番外側に位置したセグメント型素線撚合わせ層を構成するセグメント型素線間に、長手方向に沿って幅狭部が繰り返し形成された幅変化素線又は長手方向に沿って蛇行させて形成した幅変化素線を撚り合わせて、該セグメント型素線撚合わせ層より内側の素線間に侵入した水を排出するための水抜き隙間を設けたことを特徴とする架空送電線。
【発明の詳細な説明】
【０００１】
【発明の属する技術分野】
本発明は、コロナ騒音を抑制し得る架空送電線に関するものである。
【０００２】
【従来の技術】
架空送電線には、断面丸型の素線のみを多数本撚合わせた構造のものや、断面丸型の素線を撚合わせその外周にセグメント型素線を撚合わせた構造のもの等がある。
【０００３】
上記のような架空送電線は、雨等に曝されて表面に雨水等が付着すると、該雨水等からコロナが発生し、コロナ騒音が生じるという問題がある。
【０００４】
【発明が解決しようとする課題】
コロナ騒音を各種構造の電線について検討した結果、コロナ騒音は、断面丸型の素線のみを多数本撚合わせた架空送電線よりも、セグメント型素線を撚合わせたセグメント型素線撚合わせ層を少なくとも１層備えてなる架空送電線の方が発生し易いことが明らかになった。
【０００５】
その理由を種々検討したところ、断面丸型の素線のみを多数本撚合わせた架空送電線は、該架空送電線の内部に侵入した水が断面丸型の素線の間を通って容易に外部に排出されるのに対して、セグメント型素線を撚合わせたセグメント型素線撚合わせ層を少なくとも１層備えてなる架空送電線は、該最外層のセグメント型素線より内側の素線間に侵入した水が排出され難く、このためにセグメント型素線撚合わせ層より内側の素線間に侵入した水が少しづつセグメント型素線の表面に流れ出てくるので、長時間セグメント型素線の表面に雨水が付着していることになり、このためにコロナ騒音が発生し易いことが明らかになった。
【０００６】
【課題を解決するための手段】
本発明は上記の如き検討結果に基づいてなされたもので、その構成は、セグメント型素線を撚合わせたセグメント型素線撚合わせ層を少なくとも１層備えてなる架空送電線において、少なくとも一番外側に位置したセグメント型素線撚合わせ層を構成するセグメント型素線間に、長手方向に沿って幅狭部が繰り返し形成された幅変化素線又は長手方向に沿って蛇行させて形成した幅変化素線を撚り合わせて、該セグメント型素線撚合わせ層より内側の素線間に侵入した水を排出するための水抜き隙間を設けたことを特徴とするものである。
【０００７】
少なくとも一番外側に位置したセグメント型素線撚合わせ層を構成するセグメント型素線間に水抜き隙間を設けることにより、該セグメント型素線撚合わせ層より内側の素線間に侵入した水を短時間で排出することができるので、架空送電線の表面に長時間雨水等が滞留しない。このためにコロナ騒音の発生を抑制することができる。
【０００８】
【発明の実施の形態】
以下、本発明を図面を参照して詳細に説明する。
図１および図２は本発明の第１の実施の形態を示すものである。
この架空送電線は、断面丸型の素線を撚合わせた内部層１の外周にセグメント型素線を撚合わせたセグメント型素線撚合わせ層２を１層設けて構成したものである。最外層のセグメント型素線撚合わせ層２は、高さの低いセグメント型素線２Ａと高さの高いセグメント型素線２Ｂとを撚合わせた構成となっており、高さの高いセグメント型素線２Ｂは、高さの低いセグメント型素線２Ａの１本を挟んだ状態で配置されており、かつ１８０°離れた位置にそれぞれ配置されている。
【０００９】
上記のように、高さの低いセグメント型素線２Ａと高さの高いセグメント型素線２Ｂとを撚合わせた架空送電線は、高さの高いセグメント型素線２Ｂが風の流れを乱すので風騒音を防止することができるという効果がある。
【００１０】
この実施の形態においては、図２に示すように、高さの高いセグメント型素線２Ｂ間に挟まれた高さの低いセグメント型素線２Ａとして、長手方向に沿って幅狭部３が繰り返し形成された幅変化素線４を使用している。
このように、長手方向に沿って幅狭部３が繰り返し形成された幅変化素線４を高さの高いセグメント型素線２Ｂ間に配置することにより、図２に示すように、該幅変化素線４と高さの高いセグメント型素線２Ｂ間に水抜き隙間５を生じさせることができる。このために、最外層のセグメント型素線より内側の素線間に侵入した水は、該水抜き隙間５を通って短時間でセグメント型素線の外側に流れ出て該セグメント型素線から落下する。このために、コロナ騒音を有効に防止することができる。
【００１１】
図３は、本発明で使用する幅変化素線４の他の実施の形態を示すもので、この幅変化素線４は、セグメント型素線を長手方向に沿って蛇行させて形成したものである。
この幅変化素線４は前記実施の形態と同様に、高さの高いセグメント型素線２Ｂ間に配置するもので、このようにすると該幅変化素線４と高さの高いセグメント型素線２Ｂ間に水抜き隙間５が生じる。このために、最外層のセグメント型素線より内側の素線間に侵入した水は、該水抜き隙間５を通って短時間でセグメント型素線の外側に流れ出て該セグメント型素線から落下するので、コロナ騒音を有効に防止することができる。
【００１２】
図４および図５は本発明の更に他の実施の形態を示すもので、前記実施の形態と異なる点は、高さの高い２本のセグメント型素線２Ｂを接触させた状態で配置し、該高さの高い２本のセグメント型素線２Ｂの接触部に水抜き隙間５を形成した点である。すなわち、高さの高い２本のセグメント型素線２Ｂは、その接触部側に、長手方向に沿って幅狭部３が繰り返し形成されており、これによって水抜き隙間５を形成したものである。
【００１３】
この実施の形態においても、最外層のセグメント型素線より内側の素線間に侵入した水は、該水抜き隙間５を通って短時間でセグメント型素線の外側に流れ出て該セグメント型素線から落下するもで、コロナ騒音を有効に防止することができるものである。
【００１４】
図６は本発明の更に他の実施の形態を示すもので、この架空送電線は、断面丸型の素線を撚合わせた内部層１の外周にセグメント型素線を撚合わせたセグメント型素線撚合わせ層２を１層設けて、さらにその外周に断面丸型の素線６を１層撚合わせて構成したものである。
この実施の形態においても、セグメント型素線撚合わせ層２を構成するセグメント型素線に水抜き隙間５を形成してある。
このために、セグメント型素線撚合わせ層２より内側の素線間に侵入した水は、該水抜き隙間５を通って短時間でセグメント型素線の外側に排出されコロナ発生を抑制できる。
【００１５】
なお、上記各実施の形態においては、最外層に高さの低いセグメント型素線と高さの高いセグメント型素線とを撚合わせた架空送電線およびセグメント型素線撚合わせ層の外周に更に断面丸型の素線を１層撚合わせた架空送電線に本発明を適用した場合を示したが、本発明は、最外層に高さの一定であるセグメント型素線を撚合わせたセグメント型素線撚合わせ層を有する架空送電線やセグメント型素線撚合わせ層を複数層備えた架空送電線等にも適用できるものである。セグメント型素線撚合わせ層を複数層備えた架空送電線に適用する場合は、全てのセグメント型素線撚合わせ層に水抜き隙間を設けておくことが好ましいが、少なくとも一番外側に位置したセグメント型素線撚合わせ層に水抜き隙間を設けておけば水抜き速度を早めることができる。
【００１６】
また、本発明で使用する水抜き隙間の形状は特に限定するものではなく、一番外側に位置したセグメント型素線撚合わせ層より内側の素線間に侵入した水を排出することができる形状であればよい。
【００１７】
さらに水抜き隙間を設ける位置やその数も特に限定するものではなく、例えば架空送電線の外周に沿って３か所以上に水抜き隙間を設けてもよい。
【００１８】
【発明の効果】
以上のように、本発明に係る架空送電線は、セグメント型素線を撚合わせたセグメント型素線撚合わせ層を少なくとも１層備えてなる架空送電線において、少なくとも一番外側に位置したセグメント型素線撚合わせ層を構成するセグメント型素線間に、該セグメント型素線撚合わせ層より内側の素線間に侵入した水を排出するための水抜き隙間を設けたので、一番外側に位置したセグメント型素線撚合わせ層より内側の素線間に侵入した水を短時間で排出することができる。したがって、架空送電線の表面に長時間雨水等が滞留しないのでコロナ騒音の発生を抑制することができる。
【図面の簡単な説明】
【図１】本発明に係る架空送電線の一実施の形態を示す断面図。
【図２】図１の要部を示す底面図。
【図３】本発明の他の実施の形態の要部を示す底面図。
【図４】本発明の他の実施の形態を示す断面図。
【図５】図４の要部を示す底面図。
【図６】本発明の更に他の実施の形態を示す断面図。
【符号の説明】
１  内部層
２  セグメント型素線撚合わせ層
３  幅狭部
４  幅変化素線
５  水抜き隙間
【図１】
0003547256.tif 000002
【図２】
0003547256.tif 000003
【図３】
0003547256.tif 000004
【図４】
0003547256.tif 000005
【図５】
0003547256.tif 000006
【図６】
0003547256.tif 000007